(57)【要約】【課題】壁掛け対象物を壁面により近接して固定することを可能にし、また、壁面をあまり痛めることのない壁掛けを可能にする壁掛け補助具の提供を目的とする。【解決手段】表面側に頭部１ａを突出させて打ち込まれるステープル１によって壁面２に固定される固定基体３と、  低反発性素材で形成されて前記固定基体３の表面側に積層され、打ち込まれるステープル１頭部１ａ近傍を局所的に圧縮変形させて壁掛け対象物４の粘着面５を確保するクッション材６とを有して構成する。  また、表面側に頭部１ａを突出させて打ち込まれるステープル１によって壁面２に固定される低背部７を高背部８で包囲し、該高背部８によって打ち込まれるステープル１の周囲に壁掛け対象物４の粘着面５を確保して構成する。【選択図】図１
2008206917.tif 000002
【特許請求の範囲】
【請求項１】
表面側に頭部を突出させて打ち込まれるステープルによって壁面に固定される固定基体と、
低反発性素材で形成されて前記固定基体の表面側に積層され、打ち込まれるステープル頭部近傍を局所的に圧縮変形させて壁掛け対象物の粘着面を確保するクッション材とを有する壁掛け補助具。
【請求項２】
ステープル頭部の長手方向に沿って複数のステープルを適宜間隔で打ち込み可能な広さに形成される請求項１記載の壁掛け補助具。
【請求項３】
表面側に頭部を突出させて打ち込まれるステープルによって壁面に固定される低背部を高背部で包囲し、該高背部によって打ち込まれるステープルの周囲に壁掛け対象物の粘着面を確保する壁掛け補助具。
【請求項４】
前記低背部が高背部を間に挟んで適宜間隔で連設され、複数のステープルを適宜間隔で打ち込み可能に形成される請求項３記載の壁掛け補助具。
【発明の詳細な説明】
【技術分野】
【０００１】
本発明は壁掛け補助具に関するものである。
【背景技術】
【０００２】
従来、額縁やポスターなどを壁面に固定するために、例えば、特許文献１に記載されるような壁掛け具が提案されている。この従来例において、壁掛け具は、取付ネジによって壁面に固定される壁側掛止金具のフックに対し、壁掛け対象物としてのボードに固定されるボード側掛止金具のフックを引っ掛け、ボードを壁面に取り付ける。
【特許文献１】特開２００５-２６１８０２号公報
【発明の開示】
【発明が解決しようとする課題】
【０００３】
しかしながら、上記従来例においては、壁面と壁掛け対象物との間にフックを配置するために、これらの間隔が広くなってしまうという欠点がある。また、壁面に対して壁掛け具がネジ止めされるために、壁掛け具を取り外したときにネジ穴が目立ってしまうという欠点もある。
【０００４】
壁面と壁掛け対象物との間隔が広くなってしまうという点については、フックに代えて接着剤や粘着テープを用いれば解決することが可能であるが、この場合にもネジ穴によって壁面の美観が損ねられることは避けられない。ネジ穴の発生を防ぐには接着剤等を壁面に対して直接つけることが考えられるが、この場合にも、壁掛け具を壁面から取り外す際に、接着剤等とともに壁紙が一緒に剥がれてしまうというおそれがあり、やはり壁面側の目立つような損傷を防止することが難しい。
【０００５】
本発明は、以上の欠点を解消すべくなされたものであって、壁掛け対象物を壁面により近接して固定することを可能にし、また、壁面をあまり痛めることのない壁掛けを可能にする壁掛け補助具の提供を目的とする。
【課題を解決するための手段】
【０００６】
本発明によれば上記目的は、
表面側に頭部１ａを突出させて打ち込まれるステープル１によって壁面２に固定される固定基体３と、
低反発性素材で形成されて前記固定基体３の表面側に積層され、打ち込まれるステープル１頭部１ａ近傍を局所的に圧縮変形させて壁掛け対象物４の粘着面５を確保するクッション材６とを有する壁掛け補助具を提供することにより達成される。
【０００７】
壁掛け補助具は、固定基体３の表面側にクッション材６を積層して形成され、壁面２に固定されることにより、壁面２側に壁掛け対象物４の粘着による固定に好適な粘着面５を確保する。壁面２に対する壁掛け補助具の固定は、固定基体３を貫通してステープル１を壁面２に打ち込むことによってなされ、固定基体３の表面側に突出するステープル１の頭部が打ち込みに伴ってクッション材６を押圧して変形させる。クッション材６は低反発性素材により形成され、打ち込まれるステープル１に押されて該ステープル１の頭部１ａ近傍が局所的に変形し、変形しない残余の領域によって表面に壁掛け対象物４の被粘着面に密着可能な粘着面５を確保する。
【０００８】
このようにステープル１が貫通可能な厚さの固定基体３に対し、粘着面５を確保するためにはステープル１の頭部１ａよりも厚い程度で足りるクッション材６を積層し、このクッション材６に両面粘着テープなどの粘着テープで壁掛け対象物４を粘着させることにより、壁面２に対して壁掛け対象物４を極めて近接させることができ、壁掛け時の見栄えを良好にすることができる。壁掛け対象物４を粘着するための粘着面５は、ステープル１頭部１ａ近傍に対応する比較的狭い領域のみを局所的に窪ませたに過ぎないために、充填量を増やすことで広い凹所内にも密に充填できる接着剤に比べ、粘着剤の厚さが限られる上に流動性も期待できないことから粘着面５が確保しにくい粘着テープによってもしっかりと接着することができる。このように粘着テープを用いれば、接着剤のように乾くまで待たなければならない必要はなく、迅速に壁掛けをすることができる。
【０００９】
また、壁掛け対象物４を掛ける壁の素材としては、一般には、石膏ボードが多用されているという事情があり、この石膏ボードは、弾性があまりなく極めて脆いことから、針がネジよりも細い直径１ミリ程度の円形断面からなる画鋲を刺した穴であれば、目視で容易に見えることが一般に広く知られている。本願発明で用いるステープル１は、縦が０．５ミリ程度、横が０．３ミリ程度と画鋲の針よりもさらに細い矩形断面であるために、壁紙の模様などと相まって刺した穴を目視で見付けることは一般に難しく、このため刺した穴が壁面で目立つようなことがない。したがって本発明によれば、壁面２を実質的に傷つけずに壁掛けをすることができる。
【００１０】
また、上記石膏ボードは、その脆さから荷重負担があまり期待できず、例えば、画鋲によって重量がやや重い壁掛け対象物４を支えたり、支えた状態で壁掛け対象物４としてのカレンダーを破るなどして荷重を加えたときには、画鋲の針の部分に荷重が集中することによって、針が差し込まれた穴が広げられてしまい、壁にさらに目立つ損傷が残ってしまう。この点、ステープル１を用いる本願発明によれば、ステープラによる一度の打ち込みによって壁面２に２本の針が同時に打ち込まれて荷重分散が容易に図られる上に、打ち込み操作が簡単で針の充填本数も多いために多数本を打ち込むことが極めて容易で、さらに、２本の針の基端が打ち込まれた状態で壁面２に密着して穴を広げるような針の移動を妨げることから、壁面２の損傷を有効に防止することができる。
【００１１】
なお、本発明および後述する発明において、ステープル１とは、ＪＩＳ（日本工業規格）におけるステープラ用つづり針の１０号として定めるようないわゆる文具に多用されるサイズのものを指す。このように一般に広く普及しているものを活用することにより、使い勝手を極めて高めることができる。また、本発明において低反発性素材とは、弾性と粘性を併せ持ったいわゆる粘弾性を備えるものを指し、例えば、いわゆる低反発枕と呼ばれるものをつくる素材のように、支えるものの形状にほぼ沿うように変形して接触面全体で適宜荷重を分散して支えことができるなどといったように荷重分散性に優れ、また、荷重がなくなったときにはゆっくりと本来の形状を復元するような反発弾性率が低いものを意味する。
【００１２】
さらに、本発明によれば、上述したクッション材６にこのような低反発性素材を採用することにより、打ち込まれることによってクッション材６を圧縮変形させるステープル１に対し、実質的に壁面２から抜ける方向の力を作用させないようにすることができる。すなわち、通常の弾性素材Ｅの場合、図３（ｂ）において矢印で示すように、ステープル１の壁面２への打ち込み方向に圧縮変形されると、元の形状に復帰しようとする弾性復元力Ｆが圧縮変形の量に応じて復帰方向にそれぞれ発生し、これがステープル１を壁面２から抜くように作用してしまう。これに対し、荷重分散性に優れ、反発性が低く、荷重がなくなったときにもゆっくりとしか元の形状に復帰しないような低反発性素材の場合には、図３（ａ）において矢印で示すように、圧縮変形されても荷重分散によって復元力ｆが実質的に作用せず、ステープル１を抜く方向の力が作用しなくなる。このためステープル１でクッション材６を圧縮変形させても、壁掛け対象物４をしっかりと壁面２に固定することができる。
【００１３】
加えて、上述の低反発性素材によれば、ステープル１の頭部１ａに沿うようにクッション材６を変形させることから、図３（ａ）および（ｂ）の比較から明らかなように、壁掛け対象物４の粘着面５をより広く確保することができる。
【００１４】
また、壁掛け補助具は、
表面側に頭部１ａを突出させて打ち込まれるステープル１によって壁面２に固定される低背部７を高背部８で包囲し、該高背部８によって打ち込まれるステープル１の周囲に壁掛け対象物４の粘着面５を確保して構成される。
【００１５】
この発明において、壁掛け補助具は、背が低い低背部７を背が高い高背部８によって包囲して形成される。低背部７にステープル１を打ち込まれることによって壁面２に固定され、この状態で高背部８は、ステープル１の周囲に壁掛け対象物４の粘着による固定に好適な粘着面５を形成する。低背部７と高背部８との高さ方向の段差により、低背部７の表面側に突出するステープル１の頭部１ａによって妨げられずに壁掛け対象物４の被粘着面に密着可能な粘着面５が確保される。また、ステープル１の打ち込み位置を上述した段差によって低背部７にガイドさせることができる。
【００１６】
低背部７を包囲する高背部８によってステープル１を包囲して配置される粘着面５は、ステープル１を囲んで周方向に閉じた範囲での粘着によって壁掛け対象物４を強固に保持する。また、高背部８によって形成される粘着面５の中央に該粘着面５よりも低い低背部７を形成することにより、面全体を粘着する場合に比してより小さな押圧力で粘着面５を十分に押圧することができ、押圧力を利用して強固に接着される粘着テープによってしっかりと接着することができる。
【００１７】
この発明において、壁掛け補助具は、低背部７の背の高さに対応する厚さを備えて例えば上述した発明における固定基材３のようにステープル１の打ち込みによって壁面２に固定される薄板材に対し、透孔が穿孔され、高背部８の低背部７との段差に対応する厚さを備えた他の薄板材を積層して形成することが可能で、このように二部材を合わせて形成する場合には、製造効率、すなわち成型性を高めることが可能になる。また、高背部８を凸部、低背部７を凹部としてこれらを合成樹脂材等により一体成型して製造することも可能である。
【００１８】
以上の壁掛け補助具は、いずれも多数のステープル１を打ち込み可能に形成すれば、壁面２に対する固定強度をより高めることができる。この場合において、各ステープル１の打ち込み位置が適宜間隔を隔てるように配置すれば、ステープル１間に粘着面５を配置できるために壁掛け対象物４との接着性を同時に良好にすることができる。また、一体成形等される固定基体３等に対してステープル１の複数を打ち込むことにより、全体の荷重を効率的に分散して負担することができる。
【発明の効果】
【００１９】
以上の説明から明らかなように、本発明によれば、壁掛け対象物を壁面により近接して固定することを可能にし、また、壁面をあまり痛めることのない壁掛けを可能にする壁掛け補助具を提供することができるために、デザイン性を高めることができ、また、壁面の損傷による補修の手間を省くことができる。
【発明を実施するための最良の形態】
【００２０】
図１および図２に本発明の第１の実施の形態を示す。この実施の形態において、壁掛け補助具Ａは、固定基体３の表面にクッション材６を貼り付けて形成される。
【００２１】
固定基体３は、厚さが０．３ミリから０．４ミリ程度のシート状で、例えばＰＥＴ（ｐｏｌｙｅｔｈｙｌｅｎｅ  ｔｅｒｅｐｈｔｈａｌａｔｅ）などの合成樹脂材やプレスボードなどの硬質な紙などにより、ステープル１を打ち込み可能で、ステープル１の打ち込みにより例えば１ｋｇ程度の壁掛け対象物４を表面に貼り付けて支持したときに上述の厚さであっても容易に変形したり、引き裂けたりしない程度の強度を備えることができる素材により形成される。
【００２２】
クッション材６は、厚さが０．５ミリから１．０ミリ程度のシート状で、低反発性素材により形成される。このクッション材６は、上述した固定基体３と同じ大きさに形成されて固定基体３の表面に重ねるようにして裏面全面を貼り付けられ、これにより容易に引き裂けないように補強され、不用意に波を打つように変形しないようにされる。上記低反発性素材には、固定基体３に裏面側を拘束された状態で表面側に後述する両面粘着テープ１１で１ｋｇ程度の壁掛け対象物４を貼り付けたときに、少なくとも上述した厚さであれば容易に中間剥離、すなわち中間部分が分断されない程度の強度を備えるものが使用される。また、両面粘着テープ１１との粘着性を考慮して、両面粘着テープ１１の粘着剤との親和性が良いものが使用される。以上のクッション材６の素材としては、この実施の形態においては、東レ株式会社により製造される商品名ペフ（商標登録第７８１２０８号）が使用される。いわゆる低反発性素材としてのこの商品名ペフの相当品として、他の素材や他社の素材を使用することもできる。
【００２３】
以上の壁掛け補助具Ａの製造は、例えば上述したクッション材６の裏面に接着層や粘着層を形成し、固定基体３の表面にクッション材６の裏面を接着等して行うことができる。図１（ａ）に示すように、製造される壁掛け補助具Ａは、例えばいわゆるＢ５サイズ等適宜の大きさに形成され、利用者がハサミで任意の大きさに切って使用できるようにされる。
【００２４】
図１（ａ）に示される点線は、クッション材６の表面に印刷される切り取り線１２である。この切り取り線１２により区画された各々の矩形領域の面積は、市販される一般の両面粘着テープ１１の片面を全面に貼り付けたときの粘着力について、固定基体３を貫通する１個のステープル１の石膏ボードに対する固定強度と同じ程度となるように調整される。なお、図１（ａ）等においては図示される大きさの都合上符号を付していないが、固定基体３とクッション材６との境界部分には上述した接着層が形成される。また、以上では切り取り線１２をクッション材６の表面に印刷する場合を示したが、クッション材６が透明であれば、クッション材６を接着する前の固定基体３の表面に対して印刷することも可能である。
【００２５】
したがって例えば、ポスター（壁掛け対象物４）を部屋の壁面２に掛けるときには、上述した切り取り線１２に従って最も小さく切り取った切片Ａ１としての壁掛け補助具Ａの各々について、ステープラを操作して一個のステープル１により壁面２に取り付ける。図１（ｂ）に示すように、上述した切片Ａ１はステープル１を内方に打ち込み可能な広さに形成され、この実施の形態においては、例えば、一辺の長さが市販の両面粘着テープ１１の主要サイズのひとつである１５ミリ程度、あるいは主要サイズの他のひとつである２０ミリ程度のいずれかよりもやや長寸の正方形にされる。
【００２６】
切片Ａ１へのステープル１の打ち込み圧力により、低反発性素材により形成されるクッション材６はステープル１の頭部１ａ近傍を局所的に壁面２側に窪ませ、０．３ミリ程度の厚さのステープル１頭部１ａをその表面よりも下方に沈み込ませる。この後、クッション材６の表面を粘着面５として利用して例えば１５ミリ幅の両面粘着テープ１１を介してポスター４の裏面を貼り付ける。貼り付けられたポスター４は、薄い壁掛け補助具Ａを貫通して壁面２に深く突き刺さるステープル１の脚部１ｂによって壁面２にしっかりと固定される壁掛け補助具Ａに対し、クッション材６の変形していない表面に両面粘着テープ１１の厚さを隔てて裏面が面できれいに接着され、図１（ｂ）に示すように四隅を両面粘着テープ１１で止めれば全面がきれいな平面をなすように引っ張られる。また、ポスター４の表面は隅々まできれいに露出した状態で飾られ、壁掛け補助具Ａの厚さが１ミリ程度と極めて薄いため、壁面２にほぼ密着した状態となる。
【００２７】
また、図２（ｃ）および（ｄ）に、上述したポスター４に比べてやや重量があり、縁周りの飾り４ａが裏面側に突出して粘着しろとして利用可能な被粘着面が表面側に入り込んでいる額縁を壁掛け対象物４とした場合を示す。
【００２８】
この場合には、切り取り線１２の１本を跨ぐようにして上述した切片Ａ１の２倍の広さの切片Ａ２を切り取り、これに２本のステープル１を適宜間隔で打ち込む。一体に形成される固定基体３に複数のステープル１を打ち込むことにより、荷重負担の向上と同時に壁面２への荷重分散が効率的に図られる。壁掛け補助具Ａの切り取り方は、ステープル１頭部１ａの長手方向に沿って複数のステープル１を打ち込めるような横向きに長いサイズにしたり、あるいは縦向きに長いサイズにしたり、さらにはＬ字型など状況に応じて任意に決定することができる。
【００２９】
また、飾り４ａを避けて額縁４を中央部で壁面２にしっかりと取り付ける際には、図２（ｄ）に示すように、スペーサ１３を利用することができる。スペーサ１３は、粘着テープとの相性が良く、軽量で、変形や中間剥離がしづらい硬質の合成樹脂などの適宜の素材で形成され、裏面が両面粘着テープ１１を介してクッション材６の表面に、表面が両面粘着テープ１１を介して額縁４中央部の裏面に粘着される。したがってこの場合、縁周りの飾り４ａの裏面を壁面２に対して極めて近接させた状態で、額縁４を中央部でしっかりと壁面２に取り付けることができ、額縁４裏面の内側にあまり埃が積もるようなことがない。
【００３０】
図３および図４に本発明の第２の実施の形態を示す。なお、この実施の形態において、上述した実施の形態と同一の構成要素は図中に同一の符号を付して説明を省略する。この実施の形態において、壁掛け補助具Ａは、上述したクッション材６に代えてカバー材１４を固定基体３に取り付けて形成される。
【００３１】
カバー材１４は、ステープル１頭部１ａの厚さよりもやや厚い０．５ミリ程度の厚さで、簡単には変形しない素材、例えば固定基体３と同じ材料などでシート状に形成される。このカバー材１４の内方には、目視によってステープル１の打ち込み位置をガイドできる程度、すなわちステープル１頭部１ａの大きさよりひとまわり大きい細長い透孔１４ａが穿孔される。この透孔１４ａはマトリクス状に配置され、したがってカバー材１４は格子状をなす。
【００３２】
また、カバー材１４の表面には上述した実施の形態同様切り取り線１２が印刷され、上述した透孔１４ａの各々は切り取り線１２で四辺を囲まれる各矩形領域の中央に配置される。各矩形領域内のカバー材１４の平面視略ロ字形状の表面は、その全面に市販される一般の両面粘着テープ１１の片面を貼り付けたときの粘着力について、固定基体３を貫通する１個のステープル１の石膏ボードに対する固定強度と同じ程度となるような面積に調整される。
【００３３】
以上のカバー材１４を固定基体３の表面に重なるように接着層等を介して貼り付けると、カバー材１４と固定基体３とが重なり合うことによって背が高い高背部８が形成され、また、透孔１４ａの底面が固定基体３で塞がれて背の低い低背部７が凹状に形成される。カバー材１４の底面全面が固定基体３に接着されることで特に低背部７の周囲が強固に固定基体３に対して固定される。また、適宜の剛性を備える固定基体３とカバー材１４を合わせるようにして貼り付けることにより、全体の剛性が極めて高められる。したがってこの実施の形態においては、上述した実施の形態に比べて固定基体３の厚さをより薄くして壁掛け補助具Ａの厚さをより薄くすることができる。
【００３４】
例えば、ポスター４を部屋の壁面２に掛けるときには、図３（ｂ）に示すように、上述した切り取り線１２に従って最も小さく切り取った切片Ａ１について、ステープラを操作して１個のステープル１を打ち込むことにより壁面２に固定する。ステープル１の打ち込みは、カバー材１４の透孔１４ａに対応して形成される低背部７が高背部８に囲まれた凹状に形成されることによって打ち込み位置をガイドされるため、簡単に行うことができる。
【００３５】
また、ステープル１の打ち込み方向である裏面側に凹状の低背部７にステープル１を打ち込むことにより、ステープル１を横向き、すなわち頭部１ａを水平方向に向けて打ち込む時には、図４（ｂ）において実線あるいは２点鎖線で示すように、ハンドル１５ａの下方でステープル１を内部に収容するマガジン１５ｂが低背部７周囲の高背部８の端縁部に当接してステープラ１５の壁面２に対する打ち込み角度が拘束され、これによりステープル１の脚部が斜め下方を向くように壁面２に刺さって壁面２から直交方向にステープル１が抜けにくくなる。
【００３６】
カバー材１４の厚さを０．５ミリ程度にするこの実施の形態において、ステープル１の脚部を少なくとも壁面２に対して６０度に傾けて刺せば、ステープル１頭部１ａは粘着面５となるカバー材１４の表面よりも裏面側に沈みこむ。
【００３７】
壁掛け補助具Ａを壁面２に固定したら、表面に両面粘着テープ１１を介してポスター４を取り付ける。上述した切片Ａ１は、ステープル１を横向きに打ち込むようにしたときに、縦寸法が市販の両面粘着テープ１１の主要サイズのひとつである１０ミリ程度よりもやや大きい程度、横寸法が市販の両面粘着テープ１１の主要サイズのひとつである２０ミリよりもやや大きい程度にされ、また、低背部７は、縦寸法がステープル１の幅寸法である０．５ミリ程度よりも大きく、かつ目視で見やすい例えば３．０ミリ程度、横寸法がステープル１頭部１ａの長さ寸法である９．５ミリ程度よりもひとまわり大きい１２．５ミリ程度にされる。したがって例えば２０ミリ程度の幅の両面粘着テープ１１について、ステープル１を横向きに打ち込んだ切片Ａ１に対して横向きに貼ると、図４（ｂ）に示すように、ステープル１を包囲するようにして両面粘着テープ１１との粘着領域が形成される。また、上述した実施の形態と同様に切り取り線１２を跨いで切片Ａ２を切り出したとしても、市販の両面粘着テープ１１を長く引き出して合わせるだけで一括して両面粘着テープ１１を貼ることができる。
【００３８】
また、以上の壁掛け補助具Ａによって壁面２に取り付けたポスター４等に対して何らかの引っ張り力が作用しても、固定基体３とカバー材１４が薄い接着層等を介して密着重合するステープル１を包囲する高背部８の形成領域は、剛性に優れるため、容易に屈曲することはなく、壁掛け補助具Ａが不用意に変形してステープル１が抜けやすくなってしまうようなことが防止される。また、ステープル１の脚部１ｂの打ち込み姿勢が傾斜しているため、上述した剛性に優れるステープル１を包囲する領域と相まって、さらにステープル１が抜けにくくなる。
【００３９】
なお、以上の実施の形態においては、切り取り線１２を印刷する場合を示したが、あわせてステープル１の打ち込み位置の目印を設けることも可能で、例えば第２の実施の形態においては、この目印によってステープル１の壁面２に対する打ち込み角度を適宜ガイドさせることもできる。また、この第２の実施の形態において上述したスペーサ１３を用いてもよく、以上の実施の形態に示す壁掛け補助具Ａは、スペーサ１３を同梱して販売したり、あるいは両面粘着テープ１１を同梱して壁掛け具として販売することも可能である。さらに、壁掛け補助具Ａについては、上述したシート状以外に例えばテープ状にして多数の切片Ａ１や切片Ａ２を切り取れるようにしたり、あるいは予め切片１等の大きさにしたりすることも可能で、切片Ａ１の形状については、ステープル１を内包できる大きさのものであれば任意に決定することができる。
【図面の簡単な説明】
【００４０】
【図１】第１の実施の形態を示す図で、（ａ）は全体斜視図、（ｂ）は壁面に取り付けた状態を示す正面図、（ｃ）は（ｂ）における１Ｃ-１Ｃ線断面図である。
【図２】打ち込まれたステープルに対する作用を説明し、あるいは壁掛け対象物を額縁にした場合を示す図で、（ａ）は本発明に係る低反発性素材のステープルに対する作用を示す図、（ｂ）は弾性素材のステープルに対する作用を示す図、（ｃ）は額縁を取り付ける際において壁掛け補助具を壁面に取り付けた状態を示す正面図、（ｄ）は（ｃ）の２Ｄ-２Ｄ線断面図である。
【図３】第２の実施の形態を示す図で、（ａ）は全体斜視図、（ｂ）は壁面に取り付けた状態を示す正面図、（ｃ）は（ｂ）における３Ｃ-３Ｃ線断面図である。
【図４】壁面あるいは壁掛け対象物に対する固定状態等を説明する図で、（ａ）は図３（ｃ）における４Ａ-４Ａ線断面図、（ｂ）はステープラの操作による壁面への固定作業を説明する図である。
【符号の説明】
【００４１】
１ａ  頭部
１    ステープル
２    壁面
３    固定基体
４    壁掛け対象物
５    被接着面
６    クッション材
７    低背部
８    高背部
【図１】
2008206917.tif 000003
【図２】
2008206917.tif 000004
【図３】
2008206917.tif 000005
【図４】
2008206917.tif 000006